(57)【要約】  【課題】  ディスプレイ装置を備えたドアにおいて、ディスプレイ装置の画面を常に客から見やすい角度に傾斜させることのできるドアを提供する。  【解決手段】  ディスプレイ付きシートシャッターは、フレームと、フレーム内で開閉されるシートとを備える。フレームは左右のレールボックス２１と、各レールボックス２１の上端間に掛け渡された本体ボックス２３とを有する。本体ボックス２３には、２台ディスプレイ装置３０が左右に並んで取り付けられている。ディスプレイ装置３０は、画面３０ａのフレーム（左右レールボックス２１）に対する角度が可変となるように取り付けられている。これにより、フレームの高さが変わった場合にも、画面を適切な角度に傾斜させることができる。【選択図】  図１
2006037598.tif 000002
【特許請求の範囲】
【請求項１】
ドア枠と、
該ドア枠内で開閉されるドア板と、
前記ドア枠の一部に取り付けられたディスプレイと、
を備え、
前記ディスプレイの画面の前記ドア枠に対する角度が可変であることを特徴とするディスプレイ付きドア。
【請求項２】
ドア枠と、
該ドア枠内で開閉されるドア板と、
画像を投影するプロジェクターと、
該プロジェクターの画像が投影される投影スクリーンと、
該投影スクリーンを、前記ドア枠から距離可変・角度可変に突出させて支持する手段と、
を備えることを特徴とするディスプレイ付きドア。
【請求項３】
前記ディスプレイ及び前記投影スクリーンの角度が、前記ドア板の高さに応じて自動的に設定されることを特徴とする請求項１又は２記載のディスプレイ付きドア。
【発明の詳細な説明】
【技術分野】
【０００１】
本発明は、ディスプレイ装置や投影プロジェクターなどの映像表示装置を備えたドアに関する。
【背景技術】
【０００２】
スーパーマーケットの食品販売フロアなどにおいて、商品の広告・販促や店舗案内を行う際には、店内のスピーカから音声でいっせいに放送されることが多い。または、小型のディスプレイ装置を特定の商品の売り場に設置して、画像と音声で商品情報を放映・放送するようなシステムがとられることもある。あるいは、テープレコーダーなどで、音声のみを放送するようなこともある。
【発明の開示】
【発明が解決しようとする課題】
【０００３】
しかしながら、現在、このような食品販売フロアなどにおいて広告・販促を専門に行うような装置は見当たらない。また、食品販売フロアは、狭かったり、客の行き来が激しいため、このような広告・販促用装置を設置する専用のスペースを設ける余裕は少ない。
【０００４】
そこで、食品販売フロアに必ず設置されている設備に、広告・販促情報を表示させる機能を持たせれば、スペースをとることなく効果的に広告・販促を行うことができる。このようなことを考慮して、本発明者は、売り場と倉庫や調理室との間の開口に設けられているドアにディスプレイ装置を備えるシステムを考案した。
【０００５】
しかし、このドアは、通常、売り場の通路からやや奥まったところに配置されているため、客から見づらいという問題がある。また、ある程度の広さをもつディスプレイ装置の場合は、比較的スペースのある上枠に取り付けることが好ましい。この場合、ディスプレイ装置の画面を垂直に対してやや下向きに傾斜させることにより、画面を客から見やすい角度に設定できる。画面の適切な傾斜角度は、ドア開口の高さや、ドアと通路との間の距離によって決められる。ここで、ディスプレイ装置がドア枠に固定されて、画面の傾斜角度が固定されていると、ドア開口の高さが標準より高い場合や低い場合には、ディスプレイ装置の画面を見難いという問題がある。例えば、ドア開口の高さが高い場合に、画面の傾斜角度がドア開口の高さが標準の場合と同じであれば、画像が上下方向に歪んで見えてしまうようなことがある。
【０００６】
本発明は上記の問題点に鑑みてなされたものであって、ディスプレイ装置を備えたドアにおいて、ディスプレイ装置の画面を常に客から見やすい角度に傾斜させることのできるドアを提供することを目的とする。
【０００７】
なお、本発明にいうドアは、建物の開口を開閉するものを示し、ドア板とは、開口を塞ぐ部材を言い、ドア枠とは、開口の周囲に設けられて、ドア板を開口に開閉可能に支持する部材を言う。つまり、本発明のドアは、シートシャッター、開き戸、引き戸、ローリングドア等を含む。ドアがシートシャッターを示す場合、ドア板とはシート、ドア枠とはレールボックス等のフレームを言う。
【課題を解決するための手段】
【０００８】
本発明の第１のディスプレイ付きドアは、  ドア枠と、  該ドア枠内で開閉されるドア板と、  前記ドア枠の一部に取り付けられたディスプレイと、を備え、  前記ディスプレイの画面の前記ドア枠に対する角度が可変であることを特徴とする。
【０００９】
ディスプレイの画面の角度を可変としたことにより、ドア枠の高さが変わった場合にも、画面を適切な角度に傾斜させることができる。
【００１０】
本発明の第２のディスプレイ付きドアは、  ドア枠と、  該ドア枠内で開閉されるドア板と、  画像を投影するプロジェクターと、  該プロジェクターの画像が投影される投影スクリーンと、  該投影スクリーンを、前記ドア枠から距離可変・角度可変に突出させて支持する手段と、を備えることを特徴とする。
【００１１】
投影スクリーンをドア枠から前方に引き出すことができるため、ドア枠が売り場や通路から奥まった位置に設置されている場合でも、投影スクリーンを通路から見やすい位置に位置させることができる。そして、投影スクリーンの画面の角度を可変としたことにより、ドア枠の高さが変わった場合にも、画面を適切な角度に傾斜させることができる。
【００１２】
本発明においては、  前記ディスプレイ及び前記投影スクリーンの角度が、前記ドア板の高さに応じて自動的に設定されることとすれば、ドアの設置時にディスプレイやスクリーンの角度を調整する手間を省くことができる。
【発明の効果】
【００１３】
以上の説明から明らかなように、本発明によれば、画面の傾斜角度を調整できる映像表示装置（ディスプレイ装置、投影スクリーン）を備えたドアを提供できる。これにより、スペースをとらずに商品の広告・販促を行うことのできる新たなシステムを提供できる。
【発明を実施するための形態】
【００１４】
以下、本発明の実施の形態について、図面を参照しながら詳細に説明する。
以下の例では、ディスプレイ付きシートシャッターについて説明する。
【実施例１】
【００１５】
まず、ディスプレイ付きシートシャッターの全体の構造を説明する。
図２は、本発明の第１の実施の形態に係るディスプレイ付きシートシャッターの全体構造を示す図であり、図１（Ａ）は正面図、図１（Ｂ）は側面図である。
ディスプレイ付きシートシャッター１は、シート（ドア板）１０と、同シート１０を巻き上げ・巻き下げするローラ組立体（図示されず）と、フレーム（ドア枠）２０と、ディスプレイ装置３０、３１等から構成される。フレーム２０は、左右のレールボックス２１Ｌ、２１Ｒと、左右レールボックス２１の上端間に掛け渡された本体ボックス２３を有する。本体ボックス２３と左右レールボックス２１で画された開口をシャッター開口という。図１（Ｂ）に示すように、左右のレールボックス２１及び本体ボックス２３の一方の面は、左右の柱２５で支持されている。
【００１６】
本体ボックス２３内には、シート１０を巻き上げ・巻き下げするローラ組立体が収納されている。ローラ組立体は、シート１０とほぼ同じ幅を有するロータパイプと、同パイプを回転させるモータ（減速機付き）を備える。本体ボックス２３の下面の、左右レールボックス２１間の部分には、本体ボックス２３の幅方向に渡って、シート１０が出し入れされる開口が形成されている。モータが一方向に回転すると、シート１０が本体ボックス２３の開口からロータパイプの外周に巻き上げられて、シャッター開口が開く。そして、モータが反対方向に回転すると、シート１０がロータパイプの外周から本体ボックス２３の開口を通って垂下するように巻き下げられて、シャッター開口が閉じられる。
【００１７】
左右レールボックス２１には、モータの制御や、後述するディスプレイ画面の傾斜角度の制御等を行う制御部（図示されず）が設けられており、同制御部はカバー２７で覆われている。また、左右レールボックス２１には、シャッター開口に接近した人を検知するセンサ２９が設けられている。
【００１８】
図１は、本発明の第１の実施の形態に係るディスプレイ付きシートシャッターの本体ボックス及びディスプレイ装置を説明する図である。
本体ボックス２３の前面２３ａは、図１（Ａ）に示すように、垂直面に対して下向きに傾斜している。前面２３ａの垂直に対する傾斜角度αはこの例では１５°である。本体ボックス２３内には、２台のディスプレイ装置３０が嵌め込まれている。図２（Ａ）に示すように、各ディスプレイ装置は、本体ボックス２３に左右に並んで配置されている。ディスプレイ装置３０のディスプレイ面（画面）３０ａは、本体ボックス２３の前面２３ａと同じ面上に位置する。すなわち、画面３０ａも垂直に対して傾斜角度αで下向きに傾斜している。
ディスプレイ装置３０としては、液晶ディスプレイを使用できる。
【００１９】
ディスプレイ装置３０は、画面３０ａが垂直面に対して傾斜角度が可変となるように本体ボックス２３に取り付けられている。図１（Ｂ）に示すように、画面３０ａは、一例として、最大傾斜角度βが２５°となるまで傾斜可能である。ディスプレイ装置３０の画面３０ａの角度を変える機構としては、例えば、リンク機構や歯車機構を使用できる。
【００２０】
このディスプレイ装置３０の画面角度の調整は、例えば、以下のような場合に行う。
図３は、ディスプレイ付きシートシャッターの使用例を示す図である。
このシートシャッター１のシャッター開口の高さＨ１が２ｍで、通路からの距離Ｄが１．５ｍである場合を考える。この場合、ディスプレイ装置３０の画面３０ａを１５°下向きに傾斜させると、シートシャッター１から距離Ｄ１（１．５ｍ）離れた位置にいる、身長Ｈ２が１５７．５ｃｍの人Ｃ１や、距離Ｄ２（２ｍ）離れた位置にいる、身長Ｈ３が１７０ｃｍの人Ｃ２は、画面３０ａをほぼ真っ直ぐに視界に入れることができる。
【００２１】
しかし、図３の二点鎖線で示すようにシャッター開口の高さＨ１´が２ｍより高い場合、ディスプレイの画面３０ａの角度が上述の場合と同じであると、画面３０ａを下から見上げるようになり、画像が上下方向に歪んで見えてしまう。そこで、この場合、傾斜角度を１５°よりも大きくすることにより、画面３０ａを真っ直ぐに視界に入れることができる。
なお、予め、シャッター開口の高さと、ディスプレイ画面の最適な傾斜角度との関係を求めておけば、シートシャッター１を設置した位置に応じて、すぐに適切な角度に設定できる。
【００２２】
また、図２に示すように、フレーム２０の左右レールボックス２１の制御部カバー２７の前面にも、各々ディスプレイ装置３１が取り付けられている。このディスプレイ装置３１としては、例えば、ＬＥＤ表示装置、蛍光表示装置などを使用できる。
【００２３】
各ディスプレイ装置３０、３１に流される画像情報としては、商品のコマーシャルや、その店舗のセール品や店舗案内に関するものである。特に、画像情報として商品のコマーシャルを投影し、このシートシャッター１に隣接する位置に同商品を陳列することにより、この商品の購買意識を高めることが期待できる。
また、シートシャッター１が音声を発するスピーカを備えることもできる。画像情報や音声情報は、サーバから一括して送信される。情報の提供方法やサーバの制御方法については説明を省略する。
【実施例２】
【００２４】
図４は、本発明の第２の実施の形態に係るディスプレイ付きドアの構造を示す図である。
この例のディスプレイ付きシートシャッター５１は、シートと、同シートを巻き上げ・巻き下げするローラ組立体と、フレームと、投影プロジェクター６０と、投影スクリーン７０と等から構成される。シートや同シートを巻き上げ・巻き下げするローラ組立体、フレームについては、図１のシートシャッターのシート、ローラ組立体、フレームと同じ構成を有するため、図１と同じ符号を付し、説明を省略する。
【００２５】
本体ボックス２３には、同ボックス２３から前方に伸縮可能な投影スクリーン７０が設けられている。投影スクリーン７０は横長の形状であり、高さは本体ボックス２３の高さとほぼ等しく、幅は本体ボックス２３の幅とほぼ等しい。図４（Ｃ）に示すように、同スクリーン７０は、透過方式の投影シート７１と、その周囲の枠状の外フレーム７３からなる。
【００２６】
投影シート７１は、外フレーム７３に対して水平軸の周りを回動可能となるように取り付けられている。投影シート７１を回動させる機構としては、例えば、ステッピングモータを使用できる。この場合、モータを、外フレーム７３の左右枠の一方に、モータの主軸が水平内方向に延びるように取り付ける。そして、投影シート７１の左右側縁の一方をモータ主軸に取り付け、左右側縁の他方を外フレーム７３の左右枠の他方に回動可能に支持する。モータの回転により、投影シート７１は、外フレーム７３に対して水平軸の周りを回動可能となる。
【００２７】
外フレーム７３は、左右レールボックス２１と平行のまま、本体ボックス２３に対して伸縮可能となるように支持されている。本体ボックス２３の左右側面には、本体ボックス２３から前方（左右レールボックス２１に対して直角方向）に伸縮可能なアーム７７が設けられている。外フレーム７３の左右側縁は各アーム７７の先端に固定されている。外フレーム７３の左右枠には、取っ手７５が取り付けられている。取っ手７５を持って前方に引き出すことにより、図４（Ｂ）に示すように、アーム７７が伸びて、投影スクリーン７０が本体ボックス２３に対して前方に引き出される。このため、シートシャッター５１が、売り場や通路から奥まったところに設置されている場合は、投影スクリーン７０を客が見やすい位置まで引き出すことができる。
なお、投影スクリーン７０は、本体ボックス２３から、例えば、最大６０ｃｍ前方まで引き出されることが好ましい。
【００２８】
上述のように、投影シート７１は、外フレーム７３に対して水平軸の周りを回動可能に取り付けられている。つまり、図４（Ｃ）に示すように、投影シート７１の外フレーム７３に対する角度θを変えることができる。
【００２９】
本体ボックス２３の上面には、投影スクリーン７０に画像を投影する投影プロジェクター６０が設置されている。同プロジェクター６０は、水平に対してやや下方に傾斜して固設されている。同プロジェクター６０から投影された画像は投影シート７１に投影される。
【００３０】
この例においても、投影スクリーン７０を真っ直ぐに視界に入れることができるように、投影スクリーン７０の投影シート７１を最適な傾斜角度に傾斜させることができる。この際、投影プロジェクター６０の投影角度は固定されているため、シャッター開口の高さが変わった場合には、この投影角度も考慮して投影シート７１の角度を決める。
【００３１】
図５は、図４のディスプレイ付きシートシャッターの、シャッター開口の高さとフレームに対する投影スクリーンの最適な傾斜角度との関係の一例を示す表である。
この表に示すように、シャッター開口の高さが高くなるほど、フレームに対する投影シート７１の傾斜角度を大きくする必要がある。したがって、このような関係を予め制御部に保存させておけば、シートシャッターを設置する際に制御部に同シャッターのシャッター開口の高さを入力することにより、投影シート７１を、図５の表に基づいた最適な傾斜角度に自動的に傾斜させることができる。
【００３２】
この例のシートシャッター５１は、図１のシートシャッター１に比べて、投影スクリーン７０を、シートシャッターの設置位置からより前方に位置させることができる。また、投影シート７１のみを角度可変としているために、投影シート７１の傾斜角度を大きくとることができる。このため、シートシャッター５１と通路との距離が離れていたり、シャッター開口が高い場合に有効である。
【図面の簡単な説明】
【００３３】
【図１】本発明の第１の実施の形態に係るディスプレイ付きシートシャッターの本体ボックス及びディスプレイ装置を説明する図である。
【図２】本発明の第１の実施の形態に係るディスプレイ付きシートシャッターの全体構造を示す図であり、図１（Ａ）は正面図、図１（Ｂ）は側面図である。
【図３】ディスプレイ付きシートシャッターの使用例を示す図である。
【図４】本発明の第２の実施の形態に係るディスプレイ付きドアの構造を示す図である。
【図５】図４のディスプレイ付きシートシャッターの、シャッター開口の高さとフレームに対する投影スクリーンの最適な傾斜角度との関係の一例を示す表である。
【符号の説明】
【００３４】
１  ディスプレイ付きシートシャッター
１０  シート（ドア板）                ２０  フレーム（ドア枠）
２１  左右レールボックス              ２３  本体ボックス
２５  柱                              ２７  制御部カバー
２９  センサ                          ３０  ディスプレイ装置
３０ａ  画面                          ３１  ディスプレイ装置
５１  ディスプレイ付きシートシャッター
６０  投影プロジェクター              ７０  投影スクリーン
７１  投影シート                      ７３  外フレーム
７５  取っ手                          ７７  アーム
【図１】
2006037598.tif 000003
【図２】
2006037598.tif 000004
【図３】
2006037598.tif 000005
【図４】
2006037598.tif 000006
【図５】
2006037598.tif 000007